(57)【特許請求の範囲】
【請求項１】
段板および蹴込板が交互に配置される階段本体における壁面との間の入隅部に沿って組み付けられる階段用巾木であって、
段板の上面に配置される横巾木と、
蹴込板の前面に配置される縦巾木とを備え、
前記縦巾木は、蹴込板の前面に上下方向に沿って配置される縦巾木ベースと、前記縦巾木ベースの前面を覆うように取り付けられて上下方向に沿って配置される縦巾木カバーとを備え、
前記縦巾木ベースの上端が段板における段鼻の下面側に配置されるとともに、前記縦巾木カバーの上端が段鼻の前端よりも前方に配置され、
前記縦巾木カバーの上端に段鼻カバーが設けられ、その段鼻カバーが段鼻の前面側に配置され、
前記縦巾木ベースは、壁面側に配置される外側板部と、その外側板部に対し内側に配置される内側板部とを備え、
前記外側板部の後端縁が前記内側板部の後端縁に対し前方に配置されていることを特徴とする階段用巾木。
【請求項２】
前記段鼻カバーが前記縦巾木カバーに対し別体に形成されて、その段鼻カバーが前記縦巾木カバーに取り付けられている請求項１に記載の階段用巾木。
【請求項３】
前記段鼻カバーの下端部および縦巾木カバーの上端部のいずれか一方に差込片が形成されるとともに、残り一方に差込孔が形成され、
前記差込片が前記差込孔に差し込まれて、前記段鼻カバーが前記縦巾木に取り付けられている請求項２に記載の階段用巾木。
【請求項４】
前記段鼻カバーの上端部後面および前記横巾木の前端部のいずれか一方に連結片が形成され、その連結片を介して前記段鼻カバーが前記横巾木の前端部に連結されている請求項２または３に記載の階段用巾木。
【請求項５】
前記縦巾木カバーの裏面に設けられた嵌合部が前記縦巾木ベースの前面に設けられた被嵌合部に嵌合されて、前記縦巾木カバーが前記縦巾木ベースに取り付けられている請求項１〜４のいずれか１項に記載の階段用巾木。
【請求項６】
前記縦巾木カバーの前記縦巾木ベースに対する嵌合量が調整可能に構成されている請求項５に記載の階段用巾木。
【請求項７】
段板および蹴込板が交互に配置される階段本体と、
前記階段本体における壁面との間の入隅部に沿って組み付けられる階段用巾木とを備え、
前記階段用巾木が請求項１〜６のいずれか１項に記載の階段用巾木によって構成されていることを特徴とする階段。
【発明の詳細な説明】
【技術分野】
【０００１】
この発明は、一般家屋における木質製ひな壇階段等の屋内階段に適用される階段用巾木および階段に関する。
【背景技術】
【０００２】
一般家屋における木質製屋内階段においては斜め方向に沿って等間隔おきに水平に配置される複数の段板と、段板の各間に配置される蹴込板とを備えるものが周知である。このような屋内階段のうち、ひな壇階段と称されるものは、段板や蹴込板の側端縁が屋内壁面に接触させた状態に組み立てられるのが通例である。従って屋内壁面と、段板および蹴込板との間の入隅部には見栄えを良くするために巾木が取り付けられる。
【０００３】
この階段用の巾木は、段板の上面に沿って配置される横巾木と、段板先端面（段鼻前面）から蹴込板前面にかけて配置される縦巾木とを備えており、横巾木と縦巾木とが互い対応する端部同士が接合されるように取り付けられている。
【０００４】
例えば特許文献１に示す階段用巾木の取付構造は、横巾木および縦巾木の対応する端部がそれぞれ斜め４５°に切断加工（留め切り加工）されており、互いの切り口が接続具等を介して突き合わされて接合されるようにした留め接ぎ（留め加工）によって、縦巾木および横巾木間が接続されている。
【先行技術文献】
【特許文献】
【０００５】
【特許文献１】特開２０１３−４４１９７号
【発明の概要】
【発明が解決しようとする課題】
【０００６】
しかしながら、上記特許文献１に示す従来の階段用巾木の取付構造においては、横巾木や縦巾木の切り口を斜めにカットするものであるため、加工が困難である。このため加工精度の低下を来すおそれがあり、組付誤差や組付精度等の影響も相まって、横巾木および縦巾木の接合部間等に隙間が生じることがあり、美観が損なわれてしまうという課題があった。
【０００７】
また階段の段板前端部としての段鼻は蹴込板よりも前方に突出しているため、縦巾木には段鼻を収容するための切欠凹部を形成するのが通例であるが、そうすると形状が複雑になってしまう。そのため巾木を製作する際の加工が困難になるとともに、加工数も増加するため、コストの増大を来すという課題もあった。
【０００８】
この発明は、上記の課題に鑑みてなされたものであり、良好な美観を確実に得ることができるとともに、コストも削減することができる階段用巾木および階段を提供することを目的とする。
【課題を解決するための手段】
【０００９】
上記課題を解決するため、本発明は、以下の手段を備えるものである。
【００１０】
［１］段板および蹴込板が交互に配置される階段本体における壁面との間の入隅部に沿って組み付けられる階段用巾木であって、
段板の上面に配置される横巾木と、
蹴込板の前面に配置される縦巾木とを備え、
前記縦巾木は、蹴込板の前面に上下方向に沿って配置される縦巾木ベースと、前記縦巾木ベースの前面を覆うように取り付けられて上下方向に沿って配置される縦巾木カバーとを備え、
前記縦巾木ベースの上端が段板における段鼻の下面側に配置されるとともに、前記縦巾木カバーの上端が段鼻の前端よりも前方に配置され、
前記縦巾木カバーの上端に段鼻カバーが設けられ、その段鼻カバーが段鼻の前面側に配置されていることを特徴とする階段用巾木。
【００１１】
［２］前記段鼻カバーが前記縦巾木カバーに対し別体に形成されて、その段鼻カバーが前記縦巾木カバーに取り付けられている前項１に記載の階段用巾木。
【００１２】
［３］前記段鼻カバーの下端部および縦巾木カバーの上端部のいずれか一方に差込片が形成されるとともに、残り一方に差込孔が形成され、
前記差込片が前記差込孔に差し込まれて、前記段鼻カバーが前記縦巾木に取り付けられている前項２に記載の階段用巾木。
【００１３】
［４］前記段鼻カバーの上端部後面および前記横巾木の前端部のいずれか一方に連結片が形成され、その連結片を介して前記段鼻カバーが前記横巾木の前端部に連結されている前項２または３に記載の階段用巾木。
【００１４】
［５］前記縦巾木カバーの裏面に設けられた嵌合部が前記縦巾木ベースの前面に設けられた被嵌合部に嵌合されて、前記縦巾木カバーが前記縦巾木ベースに取り付けられている前項１〜４のいずれか１項に記載の階段用巾木。
【００１５】
［６］前記縦巾木カバーの前記縦巾木ベースに対する嵌合量が調整可能に構成されている前項５に記載の階段用巾木。
【００１６】
［７］前記縦巾木ベースは、壁面側に配置される外側板部と、その外側板部に対し内側に配置される内側板部とを備え、
前記外側板部の後端縁が前記内側板部の後端縁に対し前方に配置されている前項１〜６のいずれか１項に記載の階段用巾木。
【００１７】
［８］前記縦巾木ベースにおける蹴込板の前面に対向する端縁に緩衝材が設けられ、その緩衝材が蹴込板の前面に弾性接触するように配置されている前項１〜７のいずれか１項に記載の階段用巾木。
【００１８】
［９］前記縦巾木カバーにおける壁面に対応する端縁に緩衝材が設けられ、その緩衝材が壁面に弾性接触するように配置されている前項１〜８のいずれか１項に記載の階段用巾木。
【００１９】
［１０］前記横巾木は、段板の上面に前後方向に沿って取り付けられる横巾木ベースと、その横巾木ベースの上面を覆うように取り付けられて前後方向に沿って配置される横巾木カバーとを備えている前項１〜９のいずれか１項に記載の階段用巾木。
【００２０】
［１１］前記横巾木カバーの下面に設けられた嵌合部が前記横巾木ベースの上面に設けられた被嵌合部に嵌合されて、前記横巾木カバーが前記横巾木ベースに取り付けられている前項１０に記載の階段用巾木。
【００２１】
［１２］前記横巾木カバーの断面形状と前記縦巾木カバーの断面形状とが同一に形成されている前項１０または１１に記載の階段用巾木。
【００２２】
［１３］前記横巾木カバーにおける壁面に対向する端縁に緩衝材が設けられ、その緩衝材が壁面に弾性接触するように配置されている前項１０〜１２のいずれか１項に記載の階段用巾木。
【００２３】
［１４］前記横巾木カバーにおける段板の上面に対応する端縁に緩衝材が設けられ、その緩衝材が段板の上面に弾性接触するように配置されている前項１０〜１３のいずれか１項に記載の階段用巾木。
【００２４】
［１５］段板および蹴込板が交互に配置される階段本体と、
前記階段本体における壁面との間の入隅部に沿って組み付けられる階段用巾木とを備え、
前記階段用巾木が前項１〜１４のいずれか１項に記載の階段用巾木によって構成されていることを特徴とする階段。
【発明の効果】
【００２５】
発明［１］の階段用巾木によれば、縦巾木を蹴込板の前面に沿って配置される縦巾木ベースと、その縦巾木ベースの前面に沿って組み付けられる縦巾木カバーとによって構成し、縦巾木カバーの上端に段鼻の前面側を覆うように段鼻カバーが設けられているため、縦巾木ベースや縦巾木カバーおよび横巾木等の巾木構成部品を適宜縦横に突き合わせるように接合していくだけで組み付けることができ、各巾木構成部品の接合部間等に隙間が形成されるのを有効に防止でき、良好な美観を得ることができる。さらに巾木構成部品に切欠凹部等の複雑な加工を施す必要がなく、巾木構成部品をそれぞれ簡素な形状に形成できるため、巾木製作を容易に行えてコストを削減することができる。
【００２６】
発明［２］の階段用巾木によれば、縦巾木カバーに対し段鼻カバーを別体に形成しているため、これらの部品をより簡素な形状に形成でき、巾木製作をより簡単に行えてコストをより削減することができる。
【００２７】
発明［３］の階段用巾木によれば、差込片を差込孔に差し込むだけで簡単に段鼻カバーを縦巾木に組み付けることができる。
【００２８】
発明［４］の階段用巾木によれば、連結片を介して段鼻カバーを横巾木に対し確実に連結することができる。
【００２９】
発明［５］の階段用巾木によれば、縦巾木カバーを縦巾木ベースに嵌め込むだけで簡単に組み付けることができる。
【００３０】
発明［６］の階段用巾木によれば、縦巾木カバーの縦巾木ベースに対する嵌合量を調整することよって、縦巾木の前後寸法を変更することができ、縦巾木の前後寸法を段鼻の突出寸法に合わせて簡単に調整することができる。
【００３１】
発明［７］の階段用巾木によれば、壁面に対する蹴込板の水平角が鈍角であっても、縦巾木の内側板部の後端縁を蹴込板前面に確実に密着させることができるため、回り階段にも不具合なく適用することができる。
【００３２】
発明［８］の階段用巾木によれば、縦巾木ベースを蹴込板前面に緩衝材を介して接触させるようにしているため、縦巾木ベースの接触による蹴込板前面へのキズ付き等の不具合が生じるのを防止することができる。
【００３３】
発明［９］の階段用巾木によれば、縦巾木カバーを壁面に緩衝材を介して接触させるようにしているため、縦巾木カバーの接触による壁面へのキズ付き等の不具合が生じるのを防止することができる。
【００３４】
発明［１０］の階段用巾木によれば、横巾木を横巾木ベースおよび横巾木カバーの２部品によって構成しているため、これらの部品をより簡素な形状に形成でき、巾木製作を一層簡単に行えてコストを一層削減することができる。
【００３５】
発明［１１］の階段用巾木によれば、横巾木カバーを横巾木ベースに嵌め込むだけで簡単に組み付けることができる。
【００３６】
発明［１２］の階段用巾木によれば、部品の共通化を図ることができ、より一層コストの削減を図ることができる。
【００３７】
発明［１３］の階段用巾木によれば、横巾木カバーを壁面に緩衝材を介して接触させるようにしているため、横巾木カバーの接触による壁面へのキズ付き等の不具合が生じるのを防止することができる。
【００３８】
発明［１４］の階段用巾木によれば、横巾木カバーを段板の上面に緩衝材を介して接触させるようにしているため、横巾木カバーの接触による段板の上面へのキズ付き等の不具合が生じるのを防止することができる。
【００３９】
発明［１５］の階段によれば、上記発明［１］〜［１４］の巾木と同様の効果を得ることができる。
【図面の簡単な説明】
【００４０】
【図１】図１はこの発明の実施形態である階段用巾木が適用された階段において巾木の一部を取り外した状態で示す斜視図である。
【図２】図２は実施形態の巾木における縦巾木を示す水平断面図である。
【図３】図３は実施形態の縦巾木を分解して示す水平断面図である。
【図４】図４は実施形態の巾木における横巾木を示す正面断面図である。
【図５】図５は実施形態の横巾木を分解して示す正面断面図である。
【図６】図６は実施形態の巾木における段鼻カバーを正面側から見た斜視図である。
【図７】図７は実施形態の段鼻カバーを裏面側から見た斜視図である。
【図８】図８は実施形態の段鼻カバーを示す図であって、図（ａ）は内側から見た側面断面図、図（ｂ）は外側から見た側面図、図（ｃ）は裏面図、図（ｄ）は内側から見た側面図である。
【図９】図９は実施形態の巾木における縦巾木を３段廻りの９０°の廻り階段に組み付けた状態を説明するための水平断面図であって、図（ａ）は２段目に組み付けた状態の水平断面図、図（ｂ）は３段目に組み付けた状態の水平断面図である。
【図１０】図１０は実施形態の巾木における縦巾木を５段廻りの１８０°の廻り階段に組み付けた状態を説明するための水平断面図であって、図（ａ）は２段目に組み付けた状態の水平断面図、図（ｂ）は５段目に組み付けた状態の水平断面図である。
【発明を実施するための形態】
【００４１】
図１この発明の実施形態である階段用巾木Ｈが適用された階段を説明するための斜視図である。同図に示すように本実施形態の階段は、段板５１および蹴込板５５が斜め方向に沿って交互に配置されている。段板５１はその側端縁が室内の壁面（屋内壁面）５に接するようにして、斜め方向に所定の間隔おきに水平に配置されるとともに、蹴込板５５はその側端縁が室内の壁面（屋内壁面）５に接するようにして、段板５１の各間において垂直に配置されている。さらに屋内壁面５と段板５１および蹴込板５５との間の入隅部に沿って階段用巾木Ｈが組み付けられている。
【００４２】
なお本明細書において、階段という場合、段板５１、蹴込板５５およびひな段側板と、幅木Ｈとを含むものである。さらに階段本体という場合には、段板５１、蹴込板５５およびひな段側板によって構成される部分であり、巾木Ｈを含まない。
【００４３】
また本明細書においては平面視において階段を降りる方向を「前方」とし、階段を昇る方向を「後方」として説明する。さらに段板５１の裏面側は段板５１の下面側に相当し、蹴込板５５の裏面側は蹴込板５５の後面側に相当する。
【００４４】
階段用巾木Ｈは、蹴込板５５の前面に沿って配置される縦巾木１と、段板５１の上面に沿って配置される横巾木２とを備え、縦巾木１には、段板５１の段鼻５２周辺に配置される段鼻カバー３が取り付けられている。なお本明細書では各巾木Ｈにおいて、屋内壁面５に対向する側（接触する側）を「外側」または「非露出面側」とし、階段幅方向内側に対向する側を「内側」または「露出面側」として説明する。
【００４５】
図１〜図３に示すように縦巾木１は、硬質合成樹脂の成形品によって構成される縦巾木ベース１１と、硬質合成樹脂の成形品によって構成される縦巾木カバー１５とを備えている。
【００４６】
縦巾木ベース１１は、長さ方向に直交する断面（水平断面）が長さ方向のいずれの位置においても同じ形状に形成されている。この縦巾木ベース１１は、外側（非露出面側）に配置される帯板状の外側板部１１１と、内側（露出面側）に配置される帯板状の内側板部１１２と、内外両板部１１１，１１２間にその間を連結するように配置される連結部１１３とを一体に備えた水平断面略Ｈ字状に形成されている。
【００４７】
内外両板部１１１，１１２は互いに平行に配置されており、内側板部１１２の後端縁が外側板部１１１の後端縁よりも後方に伸びるように形成されて、外側板部１１１の後端縁が内側板部１１２の後端縁に対し前方に配置されている。さらに縦巾木ベース１１の内側板部１１２の後端縁には、エラストマーによって構成される緩衝材１１４が取り付けられている。この緩衝材１１４は後述するように蹴込板５５の前面に弾性接触することによって、蹴込板前面との当たりをやわらげてキズ付き等を防止するとともに、蹴込板前面に隙間なく密着できるようにしている。なお本実施形態においては、縦巾木ベース１１の内側板部１１２の後端縁が、縦巾木ベース１１における壁面に対応する端縁に相当するものである。
【００４８】
また縦巾木ベース１１における内外両板部１１１，１１２の前部は、互いに近接するように凹陥形成されて狭幅部１１５，１１５がそれぞれ形成されており、両狭幅部１１５，１１５間が嵌合雌部（嵌合凹部）として構成されている。さらに両狭幅部１１５，１１５の対向面には係合凹凸部１１６，１１６が前後方向に並んで複数形成されている。本実施形態においては両狭幅部１１５，１１５間の嵌合凹部が被嵌合部として構成されている。
【００４９】
また縦巾木ベース１１における内外両板部１１１，１１２の前端縁は互いに遠ざかる方向に屈曲形成されており、そのうち外側板部１１１の前端縁には、エラストマーによって構成される緩衝材１１９が取り付けられている。この緩衝材１１９は後述するように屋内壁面５に弾性接触して屋内壁面５との当たりをやわらげてキズ付き等を防止するようにしている。
【００５０】
縦巾木カバー１５は、上記縦巾木ベース１１の前端縁に沿って取り付けられるものであり、長さ方向に直交する断面（水平断面）が長さ方向のいずれの位置においても同じ形状に形成されている。この縦巾木カバー１５は、外壁部が前側板部１５１と内側板部１５２とを一体に有する水平断面Ｌ字状に形成されている。前側板部１５１の外側端縁および内側板部１５２の後端縁には、エラストマーによってそれぞれ構成される緩衝材１５３，１５４がそれぞれ取り付けられている。前側板部１５１の緩衝材１５３は屋内壁面５に弾性接触することによって、屋内壁面５との当たりをやわらげてキズ付き等を防止するとともに、屋内壁面５に隙間なく密着できるようにしている。本実施形態においては、縦巾木カバー１５の前側板部１５１の外側端縁が、縦巾木カバー１５における壁面に対応する端縁に相当するものである。
【００５１】
なお内側板部１５２の緩衝材１５４は、縦巾木カバー１５としては特に必要なものではないが、その有用性については後に説明する。
【００５２】
縦巾木カバー１５における前側板部１５１の裏面側（後面側）には、後方に伸びかつ互いに平行な一対の嵌合片１５５，１５５が一体に形成されている。この一対の嵌合片１５５，１５５が嵌合雄部（嵌合凸部）として構成されている。本実施形態においてはこの嵌合凸部が嵌合部として構成されている。
【００５３】
一対の嵌合片１５５，１５５の各外面には、上記縦巾木ベース１１における狭幅部１１５の係合凹凸部１１６に対応して、係合凹凸部１５６，１５６が前後方向に並んで複数形成されている。
【００５４】
そして縦巾木カバー１５を縦巾木ベース１１に組み付けるには、縦巾木カバー１５の一対の嵌合片１５５，１５５を縦巾木ベース１１の両狭幅部１１５，１１５間に嵌め込む。これにより縦巾木カバー１５側の係合凹凸部１５６，１５６が縦巾木ベース１１側の対応する係合凹凸部１１６，１１６に係合することによって不用意な抜け止めが図られて、縦巾木カバー１５が縦巾木ベース１１の前端縁（前面側）を覆うように配置された状態に固定されて、縦巾木１が組み立てられる。
【００５５】
ここで本実施形態においては、縦巾木カバー１５の縦巾木ベース１１に対する嵌合量を調整することができ、それにより縦巾木１の前後寸法（幅寸法）を調整することができる。すなわち縦巾木ベース１１および縦巾木カバー１５の各係合凹凸部１１６，１５６は、前後方向に並んで複数形成されているため、係合凹凸部１１６，１５６が形成されている範囲内であれば、前後方向のいずれの位置でも両係合凹凸部１１６，１５６同士を係合することができる。従って縦巾木カバー１５の嵌合片１５５における縦巾木ベース１１の狭幅部１１５に対する嵌合量が少なくても、両係合凹凸部１１６，１５６同士を係合できるとともに、嵌合量が多くとも、両係合凹凸部１１６，１５６同士を係合できて、縦巾木カバー１５を横巾木カバー１１に確実に固定することができる。このように嵌合量の調整によって縦巾木１の前後寸法を調整することができる。
【００５６】
本実施形態において縦巾木ベース１１と縦巾木カバー１５とが組み付けられて形成される縦巾木１は、その長さ寸法が蹴込板５５の高さ寸法（上下に隣り合う段板５１において下側の段板５１の上面から上側の段板５１の下面までの寸法）に対応して形成されている。
【００５７】
なお縦巾木カバー１５における一対の嵌合片１５５，１５５の先端には内方（互いに対向する方向）に突出するようにフック１５７，１５７が形成されている。このフック１５７，１５７は縦巾木カバー１５としては特に必要ではないが、その有用性については後に説明する。
【００５８】
図１、図４および図５に示すように横巾木２は、硬質合成樹脂の成形品によって構成される横巾木ベース２１と、硬質合成樹脂の成形品によって構成される横巾木カバー２５とを備えている。
【００５９】
横巾木ベース２１は、長さ方向（前後方向）に直交する断面（垂直断面）が長さ方向のいずれの位置においても同じ形状に形成されている。この横巾木ベース２１は、帯板状のベース板部２１１と、ベース板部２１１の上面中央に上方に突出状に一体に形成され、かつ長さ方向に連続して配置される嵌合凸部（嵌合雄部）２１２とを備えている。本実施形態においてはこの嵌合凸部２１２が被嵌合部として構成されている。
【００６０】
また嵌合凸部２１２の上端には径寸法が大きい抜け止め部２１３が一体に形成されている。
【００６１】
横巾木ベース２１の上面に沿って取り付けられる横巾木カバー２５は、上記縦巾木カバー１５と同じ断面形状を備え、実質的に同じ構成を備えるものであり、本実施形態では両カバー１５，２５を１種のベース部品（兼用ベース部品）を用いて製作するようにしている。
【００６２】
すなわち横巾木カバー２５には、縦巾木カバー１５の前側板部１５１、内側板部１５２および緩衝材１５３，１５４にそれぞれ相当する上側板部２５１、内側板部２５２および緩衝材２５３，２５４がそれぞれ形成されている。さらに横巾木カバー２５には、縦巾木カバー１５の一対の嵌合片１５５、係合凹凸部１５６およびフック１５７にそれぞれ相当する一対の嵌合片２５５、係合凹凸部２５６およびフック２５７がそれぞれ形成されている。本実施形態においては横巾木カバー２５における一対の嵌合片１５５，１５５間が嵌合雌部（嵌合凹部）として構成され、この嵌合凹部が嵌合部として構成されている。
【００６３】
ここで横巾木カバー２５の上側板部２５１の外側端縁は、横巾木カバー２５における屋内壁面に対向する端縁に相当するものであり、その端縁に取り付けられる緩衝材２５３は屋内壁面５に弾性接触することによって、屋内壁面５との当たりをやわらげてキズ付き等を防止するとともに、屋内壁面と隙間なく密着できるようにしている。さらに横巾木カバー２５の内側板部２５２の下端縁は、横巾木カバー２５における段板上面に対応する端縁に相当し、その端縁に取り付けられる緩衝材２５４は段板上面に弾性接触することによって、段板上面との当たりを和らげてキズ付き等を防止するとともに、段板上面と隙間なく密着できるようにしている。
【００６４】
横巾木カバー２５を横巾木ベース２１に組み付けるには、横巾木カバー２５の一対の嵌合片２５５，２５５を横巾木ベース２１の嵌合凸部２１２に外嵌する。これにより横巾木ベース２１の抜け止め部２１３が横巾木カバー２５のフック２５７に係合することによって不用意な抜け止めが図られて、横巾木カバー２５が横巾木ベース２１の上面を覆うように配置された状態で固定されて、横巾木２が組み立てられる。
【００６５】
本実施形態において、横巾木２における横巾木カバー２５の長さ寸法は、上側に隣接する縦巾木１の下端前端位置から段板５１の前端位置までの寸法に対応して形成されている。さらに横巾木ベース１５は、その前端位置が横巾木カバー２５の前端位置よりも後方に配置されるように構成されており、長さ寸法が横巾木カバー２５の長さ寸法よりも少し短い寸法に形成されている。
【００６６】
ここで本実施形態においては既述した通り、縦巾木カバー１５と横巾木カバー２５とは実質的に同じ構成を有しており、両カバー１５，２５を１つの部材をベースにそれぞれ形成することが可能である。そして両カバー１５，２５のベースとなる兼用ベース部材を例えば、縦巾木カバー１５として利用した場合には既述した通り、縦巾木カバー１５としては内側板部１５２の緩衝材１５４と、フック１５７，１５７とは不要であるが、兼用ベース部材を横巾木カバー２５として利用した場合には、縦巾木カバー１５の緩衝材１５４に相当する横巾木カバー２５の緩衝材２５４は、段板５１の上面に弾性接触する緩衝部材として機能するとともに、縦巾木カバー１５のフック１５７に相当する横巾木カバー２５のフック２５７は既述した通り、抜け止め部材として機能する。また横巾木カバー２５の係合凹凸部２５６は不要であるが、この係合凹凸部２５６に相当する縦巾木カバー１５の係合凹凸部１５６は既述した通り、抜け止め部材として機能する。このように縦巾木カバー１５または横巾木カバー２５をそれぞれ単独部材として捉えた場合には、各カバー１５，２５毎には不要な部位が存在するものの、両カバー１５，２５を１つの部材によって兼用するという観点から見ると、各カバー１５，２５の全ての部位が必要となり、有効性を備えるものである。
【００６７】
図６〜図８に示すように段鼻カバー３は硬質合成樹脂の一体成形品によって構成されている。段鼻カバー３は、縦巾木１の前側板部１５１および内側板部１５２に対応する前側板部３１および内側板部３２と、横巾木２の上側板部２５１に対応する上側板部３３とを備え、周囲６方向のうち、前側板部３１によって前方がカバーされ、内側板部３２によって内方がカバーされ、上側板部３３によって上方がカバーされるようになっている。
【００６８】
さらに段鼻カバー３における前側板部３１の裏面側下端部には下方に突出するように差込片３４が一体に形成されている。この差込片３４はその断面外周形状が、縦巾木カバー１５の一対の嵌合片１５５，１５５の断面内周形状に対応して形成されており、一対の嵌合片１５５，１５５間にその上端開口部から適合状態に差込可能に構成されている。本実施形態においては、縦巾木カバー１５における一対の嵌合片１５５，１５５間の上端部が差込孔として構成されている。
【００６９】
また段鼻カバー３における前側板部３１の裏面側上端部には後方に突出するように連結片３５が一体に形成されている。この連結片３５は断面形状が横巾木ベース２１の断面形状に対応して形成されており、横巾木ベース２１のベース板部２１１、嵌合凸部２１２および抜け止め部２１３に対応してベース板部３５１、嵌合凸部３５２および抜け止め部３５３が一体に形成されている。この連結片３５は横巾木ベース２１と同様に横巾木カバー２５の前端部を取り付けることができるようになっている。すなわち横巾木カバー２５の一対の嵌合片２５５，２５５を連結片３５の嵌合凸部３５２に外嵌する。こにより連結片３５の抜け止め部３５３が横巾木カバー２５のフック２５７に係合することによって不用意な抜け止めが図られて、横巾木カバー２５が段鼻カバー３における連結片３５のベース板部３５１の上面を覆うように配置された状態で横巾木カバー２５の前端部が段鼻カバー３の連結片３５に組み付けられるようになっている。
【００７０】
この段鼻カバー３はその長さ寸法が段板５１の段鼻５２の高さ寸法（厚さ寸法）に対応して形成されている。
【００７１】
なお本実施形態においては、段鼻カバー３は縦巾木１の構成部位の一部として捉えるようにしているが、それだけに限られず、本発明においては、段鼻カバーを縦巾木とは異なる構成部位として捉えるようにしても良い。
【００７２】
以上のように構成された本実施形態の階段用巾木Ｈは以下のようにして階段本体に組み付けられるものである。
【００７３】
例えば縦巾木１の縦巾木ベース１１を階段本体における所定の蹴込板５５の前面と屋内壁面５との入隅部に取り付ける。すなわち縦巾木ベース１１における外側板部１１１の外面を両面テープを介して屋内壁面５に接着固定する。このとき縦巾木ベース１１における内側板部１１２の後端縁の緩衝材１１４を蹴込板５５の前面に弾性接触させることにより、内側板部１１２の後端縁を蹴込板５５の前面に隙間なく密着させる。この取付状態においては縦巾木ベース１１は下側の段板５１の上面から上側の段板５１における段鼻５２の下面にかけて適合した状態に配置される。
【００７４】
なお縦巾木ベース１１を固着具例えば、フィニッシュネイル等の釘やビス等で固定する場合には、縦巾木ベース１１の外側板部１１１の内面側から固着具を打ち込んで屋内壁面５に固定するようにすれば良い。
【００７５】
次に縦巾木ベース１１に縦巾木カバー１５を取り付ける。すなわち縦巾木カバー１５の一対の嵌合片１５５，１５５を縦巾木ベース１１の両狭幅部１１５，１１５間に嵌め込んで、縦巾木カバー１５側の係合凹凸部１５６，１５６を縦巾木ベース１１側の対応する係合凹凸部１１６，１１６に係合させることにより、縦巾木カバー１５を縦巾木ベース１１の前端縁を覆うよう配置する。このとき縦巾木カバー１５の前側板部１５１の緩衝材１５３を屋内壁面５に弾性接触させることにより、前側板部１５１の外側端縁を屋内壁面５に隙間なく密着させる。この組付状態においては縦巾木カバー１５の上端開口部が段鼻５２の前端面よりも前方に配置されている。
【００７６】
次に段鼻カバー３を縦巾木１に取り付ける。すなわち段鼻カバー３の差込片３４を縦巾木カバー１５の上端開口部から一対の嵌合片１５５，１５５間に適合状態に差し込むことにより、段鼻カバー３を縦巾木１の上端に取り付ける。この取付状態においては段鼻カバー３の前側板部３１および内側板部３２の各下端部が、縦巾木カバー１５の前側板部１５１および下側板部１５２の各上端部を覆うように配置されるとともに、段鼻カバー３の連結片３５が段板５１における段鼻５２の前端部上面に沿うように配置されている。
【００７７】
次に上記段鼻カバー３の連結片３５よりも後方において、横巾木２の横巾木ベース２１を段板５１の上面側縁部に両面テープを介して接着固定する。このとき横巾木ベース２１の嵌合凸部２１２を段鼻カバー３の連結片３５における嵌合凸部３５２に対応させて配置する。
【００７８】
なお横巾木ベース２１や段鼻カバー３の連結片３５を、釘やビス等の固着具で固定する場合には、横巾木ベース２１のベース板部２１１および段鼻カバー３の連結片３５の上面側から固着具を打ち込んで段板５１に固定するようにすれば良い。
【００７９】
次に横巾木ベース２１および段鼻カバー３の連結片３５に横巾木カバー２５を取り付ける。すなわち横巾木カバー３５の一対の嵌合片２５５，２５５の前端部を除く所要部分を横巾木ベース２１の嵌合凸部２１２に外嵌するとともに、一対の嵌合片２５５，２５５の前端部を段鼻カバー３の嵌合凸部３５２に外嵌する。こうして一対の嵌合片２５５，２５５のフック２５７，２５７を、対応する嵌合凸部２１２，３５２の抜け止め部２１３，３５３に係合して抜け止めを図った状態で、横巾木カバー２５を横巾木ベース２１および段鼻カバー３の連結片３５を覆うように配置する。このとき横巾木カバー２５における上側板部２５１の緩衝材２５３を屋内壁面５に弾性接触させることにより、上側板部２５１の外側端縁を屋内壁面５に隙間なく密着させるとともに、横巾木カバー２５における内側板部２５１の緩衝材２５４を段板５１の上面に弾性接触させることにより、内側板部２５１の下端縁を段板５１の上面に隙間なく密着させる。
【００８０】
以下同様にして、縦巾木１（縦巾木ベース１１および縦巾木カバー１５、段鼻カバー３、横巾木２（横巾木ベース２１および横巾木カバー２５）を階段本体の所定領域全域に組み付けることにより巾木組付作業が完了し、階段が組み立てられるものである。
【００８１】
なお本実施形態において、巾木Ｈの組付手順は特に限定されるものではない。例えば階段本体の下側から順次組み付けるようにしても良いし、階段本体の上側から順次組み付けるようにしても良い。さらに縦巾木１を先に全て組み付けた後、段鼻カバー３や横巾木２を順次組み付けるようにしても良い。
【００８２】
以上のように本実施形態における階段用巾木Ｈにおいては、縦巾木１を蹴込板５５の前面に配置される縦巾木ベース１１と、縦巾木ベース１１の前端縁に沿って組み付けられる縦巾木カバー１５とによって構成し、縦巾木ベース１１の上端部に段鼻５２の前面側を覆うように段鼻カバー３を取り付けるとともに、段鼻カバー３の後端部において段板５１の上面に沿って横巾木２を組み付けるようにしている。このため巾木Ｈを構成する部品すなわち、縦巾木ベース１１、縦巾木カバー１５、横巾木ベース２１、横巾木カバー２５および段鼻カバー３を適宜縦横に突き合わせて接合するだけで組み付けることができる。このため本実施形態の幅木Ｈにおいては、従来のように縦巾木と横巾木とを留め接ぎによって斜めに突き合わせて接合する場合と比較して、巾木Ｈの構成部品１１，１５，２１，２５，３の接合部間に隙間が形成されるのを有効に防止できるとともに、これらの構成部品１１，１５，２１，２５，３と階段本体や屋内壁面５との間に隙間が形成されるのも有効に防止でき、良好な美観を得ることができる。
【００８３】
さらに本実施形態の階段用巾木Ｈにおいては、縦巾木１の前端縁に設けられる縦巾木カバー１５の上端部に段鼻カバー３を取り付けて段鼻５２を覆うようにしているため、従来のように縦巾木に段鼻５２を収めるための切欠凹部を形成する必要がなく、巾木Ｈの各構成部品をそれぞれ簡素な形状に形成することができ、巾木製作作業を容易に行えるとともに、コストも削減することができる。
【００８４】
また本実施形態の階段用巾木Ｈによれば、縦巾木１における縦巾木カバー１５の縦巾木ベース１１に対する嵌合量を調整することによって、縦巾木１の前後寸法（幅寸法）を自在に変更することができる。このため階段本体における段鼻５２の突出寸法にかかわらず、あらゆる種類の階段に適用することができる。例えば本実施形態の巾木Ｈを段鼻５２の突出寸法が小さい階段に適用するような場合には、縦巾木カバー１５の縦巾木ベース１１に対する嵌合量を多くすることによって、縦巾木１全体の前後寸法を、突出量が小さい段鼻５２に合わせて短く設定することができる。逆に段鼻５２の突出寸法が大きい階段に適用するような場合には、縦巾木カバー１５の縦巾木ベース１１に対する嵌合量を少なくすることによって、縦巾木１全体の前後寸法を、突出量が大きい段鼻５２に合わせて長く設定することができる。このように本実施形態の巾木Ｈは段鼻５５の突出量にかかわらず、あらゆる種類の階段に適用できるため、汎用性を向上できて巾木製品としての価値をより一層高めることができる。
【００８５】
また本実施形態の巾木Ｈにおいては、縦巾木カバー１５および横巾木カバー２５を縦巾木ベース１１および横巾木ベース２１に嵌合して組み付けるようにしているため、これらの組付作業を簡単かつスムーズに行うことができ、巾木組付作業を効率良く行うことができる。さらに段鼻カバー３の差込片３４を縦巾木１に差し込むだけで簡単に組み付けることができるため、巾木組付作業を一層効率良く行うことができる。
【００８６】
また本実施形態においては、横巾木２を横巾木ベース２１と横巾木カバー２５とにより構成して、その横巾木カバー２５を縦巾木１における縦巾木カバー１５と同じ断面形状に形成して実質的に同じ構成としているため、構成部品の共通化を図ることができ、巾木Ｈの製作を一層容易に行うことができる。
【００８７】
また本実施形態においては、縦巾木ベース１１の内側板部１１２の後端縁、縦巾木カバー１５の前側板部１５１の外側端縁、横巾木カバー２５の上側板部２５１の外側端縁および内側板部２５２の下端縁に緩衝材１１４，１５３，２５３，２５４を取り付けて、これらの緩衝材１１４，１５３，２５３，２５４を屋内壁面５や段板５１の上面に弾性密着しているため、縦巾木ベース１１、縦巾木カバー１５、横巾木ベース２１および横巾木カバー２５の各構成部品が直接接触することによって屋内壁面５や段板５１の上面（表面）、蹴込板５５の前面（表面）にキズ付き等の不具合が発生するのを有効に防止できる上、各構成部品が屋内壁面５や段板５１に隙間なく密着し、良好な仕上がり具合を得ることができ、美観をより一層向上させることができる。
【００８８】
ところで本実施形態の階段用巾木Ｈにおいては、縦巾木１のベース１１における外側板部１１１の後端縁を内側板部１１２の後端縁よりも前方に配置しているため、廻り階段の外側にも不具合なく適用することができる。例えば図９に示すように３段廻りの９０°の回り階段の外側においては同図（ａ）に示すように、２段目の段板５１（蹴込板５５）および屋内壁面（階段室側面）５間の角度（段板角度）が６０°と最も狭い鋭角となり、同図（ｂ）に示すように３段目の段板５１（蹴込板）５５および屋内壁面５間の角度が１２０°と最も広い鈍角となる。この場合仮に、縦巾木ベース１１の外側板部１１１および内側板部１１２の後端縁位置を同じにしていると、段板角度が鋭角の場合には（同図（ａ）参照）、縦巾木ベース１１の外側板部１１１の後端縁が蹴込板５５に接触せず、内側板部１１２を蹴込板５５に密着させることができるが、段板角度が鈍角の場合には（同図（ｂ）参照）、縦巾木ベース１１の外側板部１１１の後端縁が蹴込板５５に干渉してしまい、内側板部１１２の後端縁を蹴込板５５に密着させることができず、隙間が形成されて美観を損なうおそれがある。そこで本実施形態のように縦巾木ベース１１の外側板部１１１の後端縁を内側板部１１２の後端縁よりも前方に配置しておくと、同図（ｂ）に示すように段板角度が鈍角であっても、外側板部１１１の後端縁が蹴込板５５に干渉せず、内側板部１１２の後端縁を蹴込板５５に隙間なく密着できて良好な美観を維持することができる。
【００８９】
また図１０に示すように５段廻りの１８０°の廻り階段の外側においては同図（ａ）に示すように２段目の段板角度が５４°と最も狭い鋭角となり、同図（ｂ）に示すように５段目の段板角度が１２６°と最も広い鈍角となる。この場合であっても上記と同様、本実施形態においては縦巾木ベース１１の外側板部１１１の後端縁を内側板部１１２の後端縁よりも前方に配置しているため、内側板部１１２の後端縁を蹴込板５５に隙間なく密着できて良好な美観を得ることができる。
【００９０】
なお本実施形態の階段用巾木Ｈにおいて、巾木Ｈを廻り階段に適用する場合、縦巾木１の前後方向が段板５１の前端縁に対し斜めに配置されるため、直階段に適用する場合と比較して縦巾木１の前後長さを長くする必要がある。一方、本実施形態において縦巾木１は既述した通り縦巾木カバー１５の縦巾木ベース１１に対する嵌合量を調整することによって前後寸法を自在に調整できるため、縦巾木１の前後長さを廻り階段に合わせて適切に調整できる。従って本実施形態の階段用巾木Ｈは、廻り階段に対しても何ら工夫することなくそのまま適用でき、汎用性を一段と向上させることができる。
【００９１】
ここで一般家屋で採用される廻り階段では図１０（ｂ）に示すように５段廻り階段の５段目の段板角度の１２６°が最も広くなっている。従って本実施形態における縦巾木ベース１１では図２に示すように平面視において外側板部１１１の後端縁および内側板部１１２の後端縁を結ぶ線分Ｌと、平面視で外側板部１１１の伸びる方向との角度θが、廻り階段の段板角度に相当する角度となり、この角度θが上記段板角度の最大値である１２６°よりも広く設定することによって、どのような構成の廻り階段に適用することができる。従って本実施形態においては上記角度θを１２６°以上に設定するのが良く、より好ましくは少し余裕を持たせて上記角度θを１３０°以上に設定するのが良い。
【００９２】
なお上記実施形態においては、段鼻カバー３を縦巾木１の縦巾木カバー１５に対し別体に形成しているが、それだけに限られず、本発明においては、段鼻カバー３を縦巾木カバー１５に一体に形成するようにしても良い。
【００９３】
さらに上記実施形態においては、縦巾木１を縦巾木ベース１１および縦巾木カバー１５の２つの部材によって構成しているが、それだけに限られず、本発明においては、縦巾木１を３つ以上の部材によって構成するようにしても良い。
【００９４】
さらに上記実施形態においては、横巾木２を横巾木ベース２１および横巾木カバー２５の２つの部材によって構成しているが、それだけに限られず、本発明においては、横巾木２を１つまたは３つ以上の部材によって構成するようにしても良い。
【００９５】
また上記実施形態においては、段鼻カバー３に差込片３４を形成し、縦巾木カバー１の上端部に差込孔を形成するようにしているが、それだけに限られず、本発明においては、縦巾木カバーの上端に差込片を形成し、段鼻カバー３の下端部に差込孔を形成して、当該差込片を差込孔に差し込むことにより、段鼻カバーを縦巾木カバーに取り付けるようにしても良い。
【００９６】
さらに上記実施形態においては、段鼻カバー３に連結片３５を形成し、その連結片３５を介して段鼻カバー３を横巾木２に連結固定するようにしているが、それだけに限られず、本発明においては、横巾木２の前端に連結片を形成し、その連結片を介して段鼻カバーを横巾木に連結固定するようにしても良い。
【００９７】
また上記実施形態においては、縦巾木１の縦巾木ベース１１に被嵌合部として嵌合凹部（狭幅部１１５）を形成し、縦巾木カバー１５に嵌合部として嵌合凸部（嵌合片１５５）を形成しているが、それだけに限られず、本発明においては、縦巾木ベース側に被嵌合部として嵌合凸部（嵌合雄部）を形成し、縦巾木カバー側に嵌合部として嵌合凹部（嵌合雌部）を形成するようにしても良い。
【００９８】
さらに上記実施形態においては、横巾木２の横巾木ベース２１に被嵌合部として嵌合凸部２１２を形成し、横巾木カバー２５に嵌合部としての嵌合凹部（嵌合片２５５）を形成しているが、それだけに限られず、本発明においては、横巾木ベース側に被嵌合部として嵌合凹部（嵌合雌部）を形成し、横巾木カバー側に嵌合部として嵌合凸部（嵌合雄部）を形成するようにしても良い。
【００９９】
また上記実施形態においては、巾木Ｈを構成する縦巾木ベース１１、縦巾木カバー１５、横巾木ベース２１、横巾木カバー２５および段鼻カバー３等の各構成部品を硬質合成樹脂によって形成するようにしているが、巾木Ｈの各構成部品の素材は特に限定されるものではなく、どのような素材で形成するようにしも良い。例えば各構成部品の素材として、金属製、ゴム製、エラストマー製のものを採用しても良く、これらの複合材を使用しても良い。さらに各構成部品を互いに異なる素材によって構成するようにしても良い。
【産業上の利用可能性】
【０１００】
この発明の階段用巾木は、屋内における木質製のひな壇階段に適用可能である。
【符号の説明】
【０１０１】
１：縦巾木
１１：縦巾木ベース
１１１：外側板部
１１２：内側板部
１１４：緩衝材
１１５：狭幅部（被嵌合部）
１５：縦巾木カバー
１５３：緩衝材
１５４：緩衝材
１５５：嵌合片（嵌合部）
２：横巾木
２１：横巾木ベース
２１２：嵌合凸部（被嵌合部）
２５：横巾木カバー
２５３：緩衝材
２５４：緩衝材
２５５：嵌合片（嵌合部）
３：段鼻カバー
３４：差込片
３５：連結片
５：屋内壁面（壁面）
５１：段板
５２：段鼻
５５：蹴込板
Ｈ：階段用巾木
【図１】
0006708423.tif 000002
【図２】
0006708423.tif 000003
【図３】
0006708423.tif 000004
【図４】
0006708423.tif 000005
【図５】
0006708423.tif 000006
【図６】
0006708423.tif 000007
【図７】
0006708423.tif 000008
【図８】
0006708423.tif 000009
【図９】
0006708423.tif 000010
【図１０】
0006708423.tif 000011